(57)【特許請求の範囲】
【請求項１】
断面Ｌ形に形成され、溝路を構成する左右の側壁上に、該溝路の長手方向に沿って対向状に配設されて溝蓋の左右側縁を支持する左右一対の溝蓋受枠を、前記溝路の左右の側壁に固定するための固定装置であって、
前記溝蓋受枠から、溝路の側壁内面との間に所定の間隙を生ずるようにして下方に垂設され、先端が溝路の側壁内面に圧接可能な螺子杆が螺合される螺子孔が形成された複数の内側支持部材と、
該内側支持部材に対応する位置で、前記溝蓋受枠から、溝路の側壁外面との間に所定の間隙を生ずるようにして下方に垂設され、前記螺子孔に対応する位置に該螺子孔に臨むメッキ除去用の操作口が開口された複数の外側支持部材と、
左右の内側支持部材に両端が固定されて左右の溝蓋受枠の相互間隔を規定する複数の幅決め杆と
を備えてなることを特徴とする溝蓋受枠の固定装置。
【請求項２】
溝蓋受枠の下面に断面伏コ字形の固定部材が固定され、該固定部材の内側垂設片部を内側支持部材とし、外側垂設片部を外側支持部材としたことを特徴とする請求項１記載の溝蓋受枠の固定装置。
【発明の詳細な説明】
【技術分野】
【０００１】
本発明は、Ｕ字溝等の溝路上に被着されるカラー舗装用溝蓋やグレーチング溝蓋等の溝蓋を支持する溝蓋受枠を、施工時に溝路の左右の側壁上に固定するための溝蓋受枠の固定装置に関する。
【背景技術】
【０００２】
Ｕ字溝等の溝路を構成する左右の側壁上に夫々配設されて溝蓋の左右側縁を支持する断面Ｌ形の溝蓋受枠を、施工時に前記側壁に固定するための固定装置が知られている（特許文献１参照）。かかる固定装置は、図７（Ａ）に示すように、断面Ｌ形に形成されて左右一対に設けられる溝蓋受枠ａ，ａの各水平縁部ｂ，ｂの下面に接合されて、該溝蓋受枠ａ，ａの長手方向に所定間隔で配設される左右一対の固定部材ｃ，ｃを備えている。該固定部材ｃ，ｃは断面伏コ字形に形成されており、その外側垂設片部ｄ，ｄには螺子杆ｅ，ｅが螺合される一方、内側垂設片部ｆ，ｆには左右の固定部材ｃ，ｃを連結して溝蓋受枠ａ，ａの相互間隔を規定する幅決め杆ｇが夫々差し渡されている。
【０００３】
そして、このような構成からなる固定装置は、溝路ｈを構成する左右の側壁ｊ，ｊの上部に各固定部材ｃ，ｃを夫々外嵌した状態で、螺子杆ｅ，ｅを締め付け方向に螺回して、その先端を側壁ｊ，ｊの外面に圧接させ、幅決め杆ｇによって相互間隔が規定された左右の固定部材ｃ，ｃを夫々外側方へ引張して移動不能に保持することによって、該固定部材ｃ，ｃを介して溝蓋受枠ａ，ａを側壁ｊ，ｊに固定し得るようになっている。
【先行技術文献】
【特許文献】
【０００４】
【特許文献１】特開２００８−１６３６８４号公報（図７）
【発明の概要】
【発明が解決しようとする課題】
【０００５】
ところで、従来のように各固定部材ｃ，ｃの外側垂設片部ｄ，ｄに螺合された螺子杆ｅ，ｅの緊締操作によって溝路ｈの側壁ｊ，ｊに溝蓋受枠ａ，ａを固定する外止め式の固定装置にあっては、一方の側壁ｊの外側に近接する位置に既設の構築物等の障害物があると、該障害物側の螺子杆ｅの緊締操作ができないため、該障害物側に位置する一方の溝蓋受枠ａの固定ができないという問題点があった。
【０００６】
そこで、図７（Ｂ）に示すように、固定部材ｃ，ｃの内側垂設片部ｆ，ｆに螺子孔ｋ，ｋを形成し、該螺子孔ｋ，ｋに螺合した螺子杆ｅ，ｅを側壁ｊ，ｊの内面に圧接させて固定部材ｃ，ｃを内側から固定する内止め式とすることが考えられる。ここで、固定装置は、左右の溝蓋受枠ａ，ａと複数対の固定部材ｃ，ｃと各一対の固定部材ｃ，ｃに両端が固定される複数の幅決め杆ｇとを溶接手段を介して一体に接合した後、溶融亜鉛メッキ処理が施されるのであるが、このメッキ処理において、内側垂設片部ｆ，ｆに形成されている螺子孔ｋ，ｋに溶融亜鉛が流入して該螺子孔ｋ，ｋに固着するため、この螺子孔ｋ，ｋに固着したメッキ（亜鉛）を除去して螺子孔ｋ，ｋを再生するリタップ加工を行う必要がある。このリタップ加工は、電動工具を用いて行われるのであるが、幅決め杆ｇによって相互間隔が規定されている内側垂設片部ｆ，ｆ間が狭く、タップを取り付けた電動工具が該内側垂設片部ｆ，ｆ間に入らないため、上記のような内止め式の固定装置にあっては、螺子孔ｋ，ｋのリタップ加工が事実上できないという問題点があった。また、このようなリタップ加工を可能とするために、図７（Ｃ）に示すように、固定部材ｃ，ｃの外側垂設片部ｄ，ｄ（図７（Ｂ）参照）を除去すると、施工時に打設されるコンクリートやモルタル内に外側垂設片部ｄ，ｄが埋設されないため、該外側垂設片部ｄ，ｄによるアンカー作用が得られないという問題点があった。
【０００７】
本発明は、螺子杆を溝路の側壁内面に圧接させる内止め式の固定装置にあって、螺子孔に固着したメッキを除去するリタップ加工を可能とし、かつアンカー作用も得られるようにした溝蓋受枠の固定装置を提供することを目的とするものである。
【課題を解決するための手段】
【０００８】
本発明は、断面Ｌ形に形成され、溝路を構成する左右の側壁上に、該溝路の長手方向に沿って対向状に配設されて溝蓋の左右側縁を支持する左右一対の溝蓋受枠を、前記溝路の左右の側壁に固定するための固定装置であって、前記溝蓋受枠から、溝路の側壁内面との間に所定の間隙を生ずるようにして下方に垂設され、先端が溝路の側壁内面に圧接可能な螺子杆が螺合される螺子孔が形成された複数の内側支持部材と、該内側支持部材に対応する位置で、前記溝蓋受枠から、溝路の側壁外面との間に所定の間隙を生ずるようにして下方に垂設され、前記螺子孔に対応する位置に該螺子孔に臨むメッキ除去用の操作口が開口された複数の外側支持部材と、左右の内側支持部材に両端が固定されて左右の溝蓋受枠の相互間隔を規定する複数の幅決め杆とを備えてなることを特徴とする溝蓋受枠の固定装置である。
【０００９】
上記固定装置にあって、溝蓋受枠の下面に断面伏コ字形の固定部材が固定され、該固定部材の内側垂設片部を内側支持部材とし、外側垂設片部を外側支持部材とした構成が提案される。
【００１０】
ここで、前記固定部材は、一枚の帯板材を断面コ字形に曲成したものが用いられ得る。
【発明の効果】
【００１１】
本発明は、上述したように、溝蓋受枠から、溝路の側壁内面との間に所定の間隙を生ずるようにして下方に垂設され、先端が溝路の側壁内面に圧接可能な螺子杆が螺合される螺子孔が形成された複数の内側支持部材と、該内側支持部材に対応する位置で、前記溝蓋受枠から、溝路の側壁外面との間に所定の間隙を生ずるようにして下方に垂設され、前記螺子孔に対応する位置に該螺子孔に臨むメッキ除去用の操作口が開口された複数の外側支持部材と、左右の内側支持部材に両端が固定されて左右の溝蓋受枠の相互間隔を規定する複数の幅決め杆とを備えてなる溝蓋受枠の固定装置であるから、電動工具にドリルチャックを介して取り付けた雌螺子孔形成用工具であるタップを外側支持部材の操作口に挿通させ、該タップによって内側支持部材の螺子孔に固着している不要なメッキを除去することにより、螺子孔を再生するリタップ加工を外側支持部材側から電動工具を用いて容易に行うことができる。また、施工後においては、溝路の側壁の外部に打設されたコンクリートやモルタル内に外側支持部材が埋設され、該外側支持部材の表裏のコンクリートやモルタルが操作口内で一体化するため、優れたアンカー作用を得ることができる。
【００１２】
また、前記溝蓋受枠の下面に断面伏コ字形の固定部材が固定され、該固定部材の内側垂設片部を内側支持部材とし、外側垂設片部を外側支持部材とした構成にあっては、固定部材を一枚の帯板材の曲成によって断面コ字状に一体形成し得るので、内側支持部材と外側支持部材とを別体形成する場合に比して、部品点数が少なくなり、溝蓋受枠との固定時における溶接作業等の手間も減るため、製造コストを低減させることができる。
【図面の簡単な説明】
【００１３】
【図１】第一実施例にかかる固定装置を備えた溝蓋受枠４，４の施工状態を示す縦断正面図である。
【図２】同上の固定装置を備えた溝蓋受枠４，４の縦断正面図である。
【図３】同上の固定装置を備えた溝蓋受枠４，４の外観斜視図である。
【図４】（Ａ）は同上の固定装置を備えた溝蓋受枠４の要部の拡大縦断正面図、（Ｂ）は要部の拡大側断面である。
【図５】操作口１６に後付けアンカー２３を係合させた状態を示す説明図である。
【図６】（Ａ）は第二実施例にかかる固定装置を備えた溝蓋受枠４の要部の拡大縦断正面図、（Ｂ）は第三実施例にかかる固定装置を備えた溝蓋受枠４の要部の拡大縦断正面図である。
【図７】従来の固定装置を備えた溝蓋受枠ａ，ａの施工状態を示す縦断正面図である。
【発明を実施するための形態】
【００１４】
以下に、本発明にかかる溝蓋受枠の固定装置の第一実施例を、図１〜図５に基づいて説明する。
【００１５】
溝路１は、図１に示すように、断面略Ｕ字形に形成されたＵ字溝ブロック２を地盤の所定深さ位置に一列状に埋設して構築される。尚、このようなＵ字溝ブロック２を用いる施工に代えて、現場で組み付けた型枠へのコンクリートの打設により断面略Ｕ字形の溝路１を形成することも可能である。
【００１６】
前記溝路１を構成する左右の側壁３，３の上部には、左右一対の溝蓋受枠４，４が該溝路１の長手方向に沿って配設される。該溝蓋受枠４，４は、夫々溝蓋５の側縁を乗載して支持する水平縁部６と、該水平縁部６の外端から溝蓋５の側面に沿って立ち上がる垂直縁部７とを備えており、断面Ｌ形の鉄鋼からなるアングル材を、Ｕ字溝ブロック２の数個分の長さに相当する所定長さ（例えば、1800mm程度）に切断したものが用いられている。尚、このようなアングル材に代えて、鉄鋼からなる帯板材を断面Ｌ形に曲成したものを用いることも可能である。溝蓋受枠４，４は、グレーチングやカラー舗装用の溝蓋５を支持するものであって、各垂直縁部７，７の高さ寸法が溝蓋５の厚みに略一致するものとなっている。
【００１７】
次に、本発明の要部にかかる固定装置について説明する。
【００１８】
固定装置は、前記溝蓋受枠４，４を、施工時に前記側壁３，３に固定するためのものであって、図１に示すように、前記溝蓋受枠４，４から、溝路１の側壁内面１０との間に所定の間隙ｓ（図４（Ａ）参照）を生ずるようにして下方に垂設された複数の内側支持部材１１と、各内側支持部材１１に対応する位置で、前記溝蓋受枠４，４から、溝路１の側壁外面１２との間に所定の間隙ｓを生ずるようにして下方に垂設されて前記各内側支持部材１１と一対を成す複数の外側支持部材１３とを備えている。
【００１９】
各内側支持部材１１には、図２に示すように、内外方向に沿う螺子孔１４が夫々形成されており、該螺子孔１４には、先端が溝路１の側壁内面１０に圧接可能な螺子杆１５が螺合される（図１参照）。ここで、螺子孔１４は、各内側支持部材１１を溝蓋受枠４に組み付ける前に、電動工具を用いたタップ加工によって機械加工されており、これによって高精度かつ効率的に螺子孔１４を形成するようにしている。
【００２０】
一方、各外側支持部材１３には、前記螺子孔１４に対応する位置に、該螺子孔１４に臨むメッキ除去用の操作口１６が開口されている。該操作口１６はプレス装置による打ち抜き加工によって形成され得る。
【００２１】
この第一実施例にあっては、前記両溝蓋受枠４，４の水平縁部６，６の下面に溶接によって固定された断面伏コ字形の複数の固定部材１７が、図３に示すように、溝蓋受枠４，４の長手方向に所定間隔で配設されている。そして、各固定部材１７の内側垂設片部１８ａによって前記内側支持部材１１が構成されており、また、各固定部材１７の外側垂設片部１８ｂによって前記外側支持部材１３が構成されている。各固定部材１７は、一枚の鉄鋼からなる帯板材を断面コ字形に曲成したものであって、その内側垂設片部１８ａと外側垂設片部１８ｂの間隔が、図４（Ａ）に示すように、固定部材１７を溝路１の側壁３に上方から外嵌した状態で、溝路１の側壁内面１０と側壁外面１２との間に夫々所定の間隙ｓ，ｓを生ずる間隔となっている。ここで、溝路１を構成するＵ字溝ブロック２は、長さ600mm程度のものを端部で突き合わせて一列状に連結されるのであるが、その施工時に前後で隣接するＵ字溝ブロック２，２相互が左右方向に僅かにずれる施工誤差が往々にして生じる。このため、各固定部材１７の内側垂設片部１８ａと外側垂設片部１８ｂの間隔を、上記のように溝路１の側壁内面１０と側壁外面１２との間に夫々所定の間隙ｓ，ｓを生ずる間隔に設定しておくことにより、その施工誤差に対応し得るものとなる。
【００２２】
また、左右の内側支持部材１１，１１としての内側垂設片部１８ａ，１８ａ間には、左右の溝蓋受枠４，４の相互間隔を規定する幅決め杆１９が夫々配設されている。各幅決め杆１９は、鉄鋼からなる断面Ｌ形のアングル材を用いて形成されており、両端が内側支持部材１１，１１に溶接によって固定されている。ここで、図４（Ｂ）に示すように、断面Ｌ形の各幅決め杆１９は山形となるように配設されており、これによって、施工後、ゴミや砂が幅決め杆１９上に滞留せず、雨水等で洗い流す作用も得られるので、幅決め杆１９及び固定部材１７，１７の腐食劣化を防止できるものとなっている。
【００２３】
また、溝蓋受枠４，４の水平縁部６，６間には、複数の補強杆２０が溝蓋受枠４，４の長手方向に所定間隔で配設されている。該補強杆２０は、鉄鋼からなる帯板材で形成されており、両端が溝蓋受枠４，４の水平縁部６，６の上面に分離可能に固定されている。即ち、各補強杆２０は製造から施工完了までの間、固定装置の形態を保持し、施工後に除去されるものであるため、各補強杆２０は、両端を水平縁部６，６上に縦向きに乗載した状態で、その下端側面の片側のみを溶接して弱接合されており、プライヤ等の適宜の工具によって端部近傍を捻ることによって水平縁部６から容易に分離できるようになっている。
【００２４】
かかる構成にあって、図２に示すように、固定装置の各部材が組み付けられた溝蓋受枠４，４は、腐食防止及び製品としての美観向上のために、各内側支持部材１１に螺子杆１５を取り付けない状態で溶融亜鉛に浸漬されて溶融亜鉛メッキ処理が施される。このメッキ処理において、各内側支持部材１１の螺子孔１４に溶融亜鉛が流入して該螺子孔１４に固着することとなるのであるが、本発明にあっては、内側支持部材１１の螺子孔１４に臨むメッキ除去用の操作口１６が外側支持部材１３に開口されていることにより、電動工具（図示省略）に取り付けたタップを外側支持部材１３の操作口１６から挿通させて、該タップによって内側支持部材１１の螺子孔１４に固着している不要なメッキを除去することができ、螺子孔１４を再生するリタップ加工を外側支持部材１３側から電動工具を用いて容易に行うことができる。
【００２５】
そして、施工時において、図１に示すように、左右の溝蓋受枠４，４を、溝路１を構成する左右の側壁３，３上に夫々乗載し、各溝蓋受枠４，４から垂設された複数の内側支持部材１１と外側支持部材１３を側壁内面１０と側壁外面１２に対向させた状態で、各内側支持部材１１の螺子孔１４に螺合させた螺子杆１５を夫々締め付け方向に螺回して、その先端を左右の側壁内面１０，１０に夫々圧接させることにより、幅決め杆１９による突っ張り作用を介して、各溝蓋受枠４，４を側壁３，３上に確実に固定することができる。この時、一方の側壁３の外側に近接する位置に既設の建物や塀等の構築物からなる障害物２１があっても、各内側支持部材１１の螺子孔１４に螺合させた螺子杆１５を、溝路１内で緊締操作することが可能であるため、障害物２１側に位置する一方の溝蓋受枠４の固定を支障なく行うことができる。
【００２６】
上記のように、各溝蓋受枠４，４を側壁３，３上に固定した後、該側壁３，３の外部にコンクリートやモルタル２２が打設される。この時、該コンクリートやモルタル２２内に外側支持部材１３，１３が埋設され、該外側支持部材１３，１３の表裏のコンクリートやモルタル２２が操作口１６内で一体化するため、優れたアンカー作用を得ることができる。尚、図５に示すように、各操作口１６に後付けアンカー２３を係合させることもでき、これによってアンカー作用を更に向上させることが可能となる。
【００２７】
また、この第一実施例では、一枚の帯板材の曲成によって断面コ字状に一体形成した各固定部材１７を、溝蓋受枠４，４の水平縁部６，６の下面に溶接によって固定して、該固定部材１７の内側垂設片部１８ａを内側支持部材１１とし、外側垂設片部１８ｂを外側支持部材１３としたので、後述する第二実施例及び第三実施例のように、内側支持部材１１と外側支持部材１３とを別体形成する場合に比して、部品点数が少なくなり、溶接時の手間も減るため、製造コストを低減させることができる。
【００２８】
図６（Ａ）は、第二実施例を示し、この第二実施例は、内側支持部材１１と外側支持部材１３を夫々断面Ｌ形に形成し、対向させた状態で、その各水平上片部２４を溝蓋受枠４の水平縁部６の下面に溶接によって固定することにより、該内側支持部材１１と外側支持部材１３を夫々溝蓋受枠４から下方に垂設させたものである。その他、第一実施例と同じ構成部分には、第一実施例と同じ符号を付して重複する説明を省略する。かかる構成にあっても、上述した第一実施例のものと同様に、外側支持部材１３に開口された操作口１６からタップを挿通させて、該タップによって内側支持部材１１の螺子孔１４に固着している不要なメッキを除去することができ、螺子孔１４を再生するリタップ加工を外側支持部材１３側から電動工具を用いて容易に行うことができる。また、施工後においては、外側支持部材１３の表裏に打設されたコンクリートやモルタル２２（図１参照）が操作口１６内で一体化するため、優れたアンカー作用を得ることができる。
【００２９】
図６（Ｂ）は、第三実施例を示し、この第三実施例は、断面Ｌ形に形成した内側支持部材１１の水平上片部２４を溝蓋受枠４の水平縁部６の下面に溶接によって固定することにより、該内側支持部材１１を溝蓋受枠４から下方に垂設させる一方、該内側支持部材１１に対応する位置で、帯板片からなる外側支持部材１３の上端部を溝蓋受枠４の垂直縁部７の外側面に溶接によって固定することにより、該外側支持部材１３を溝蓋受枠４から下方に垂設させたものである。その他、第一実施例と同じ構成部分には、第一実施例と同じ符号を付して重複する説明を省略する。かかる構成にあっても、上述した第二実施例のものと同様の作用効果を得ることができる。
【符号の説明】
【００３０】
１  溝路
３  側壁
４  溝蓋受枠
５  溝蓋
１０  側壁内面
１１  内側支持部材
１２  側壁外面
１３  外側支持部材
１４  螺子孔
１５  螺子杆
１６  操作口
１７  固定部材
１８ａ  内側垂設片部
１８ｂ  外側垂設片部
１９  幅決め杆
ｓ  間隙
【図１】
0005452213.tif 000002
【図２】
0005452213.tif 000003
【図３】
0005452213.tif 000004
【図４】
0005452213.tif 000005
【図５】
0005452213.tif 000006
【図６】
0005452213.tif 000007
【図７】
0005452213.tif 000008